(57)【要約】【課題】特定のキーを押下しなくてもキーロックの解除が可能な、操作性に優れた携帯端末を提供すること。【解決手段】本発明による携帯端末は、開閉可能な携帯端末であり、閉状態で内外のキーをロックした後、開状態にするとキーロックを解除することができる。さらに、開状態から閉状態にすると、内外のキーを再ロックすることができる。【選択図】      図５
2004180080.tif 000002
【特許請求の範囲】
【請求項１】
表示部側筐体と操作部側筐体とが開閉可能な携帯端末において、
両筐体を閉じた状態で少なくとも露出している操作キーをロックするキーロック手段と、
前記キーロック手段により前記操作キーをロックした後、前記両筐体が開かれると、前記キーロックを解除するキーロック解除手段と
を具備したことを特徴とする携帯端末。
【請求項２】
請求項１に記載の携帯端末において、
前記キーロック手段は、前記キーロック解除手段によりキーロックを解除した後、前記両筐体が閉じられると、前記操作キーを再ロックすることを特徴とする携帯端末。
【請求項３】
請求項１に記載の携帯端末において、
前記両筐体が開いている時に使用している前記携帯端末の機能を前記両筐体が閉じられても前記機能を継続する制御手段、を備え、
前記キーロック手段は、前記両筐体が閉じられてから前記機能が終了した後に、前記操作キーを再ロックすることを特徴とする携帯端末。
【請求項４】
請求項１に記載の携帯端末において、
前記両筐体が閉じられてから時間を計時する計時手段、を備え、
前記キーロック手段は、前記両筐体が閉じられてから前記計時手段が所定時間を計時した後に、前記操作キーを再ロックすることを特徴とする携帯端末。
【発明の詳細な説明】
【０００１】
【発明の属する技術分野】
本発明は、携帯端末に関し、具体的には、キーロック機能を有する携帯端末に関する。
【０００２】
【従来の技術】
近年において携帯端末は電話機能の他にインターネット、電子メール、動画／静止画の表示、スケジュール管理等の高機能端末として利用されている。これら高機能の搭載に伴い携帯端末の表示部はカラー化、高解像度化し、大画面の表示部が設けられるようになってきた。
これら高機能且つ大画面を搭載した携帯端末をより使い易くするために、従来の携帯端末は折り畳んだ状態でも表示部の情報を確認することができるようにするため、表示部側筐体と操作部側筐体の２つの筐体を閉じた状態において、表示部が露出する構成を開示している（例えば、特許文献１及び２参照）。
【０００３】
【特許文献１】
特開平７−２８８８６０号公報
【特許文献２】
特開２００１−２９２２１３号公報
【０００４】
【発明が解決しようとする課題】
ところで、２つの筐体を閉じた状態でも表示部の情報を確認することができる携帯端末では、閉じた状態で露出している操作キーが携帯端末を操作できるため誤動作の要因となってしまう。そのため、閉じた状態において露出している操作キーの入力を無効とするキーロック機能を設けることでポケットやカバン等での誤動作を防止することができる。
しかしながら、２つの筐体を閉じた状態でも表示部の情報を確認することができる上記携帯端末の構造では、２つの筐体を開くことは必然的に操作部を使用することであるにも関わらず、閉じた状態でキーロックがかかっていると、開いた状態でキーロックの解除操作をするか、又は再度携帯端末を閉じてキーロックの解除操作をしなければならなかった。
【０００５】
【課題を解決するための手段】
上記課題を解決するため、本願発明の携帯端末は、表示部側筐体と操作部側筐体とが開閉可能な携帯端末であり、両筐体を閉じた状態で少なくとも露出している操作キーをロックするキーロック手段と、キーロック手段により操作キーをロックした後、両筐体が開かれると、キーロックを解除するキーロック解除手段とを具備したことを特徴とする。
上記携帯端末のキーロック手段は、キーロック解除手段によりキーロックを解除した後、両筐体が閉じられると、操作キーを再ロックすることが好ましい。
上記携帯端末は、両筐体が開いている時に使用している携帯端末の機能を、両筐体が閉じられても機能を継続する制御手段を備え、キーロック手段は、両筐体が閉じられてから機能が終了した後に、操作キーを再ロックすることを特徴とする。
【０００６】
さらに、上記携帯端末は、両筐体が閉じられてから時間を計時する計時手段を備え、キーロック手段は、両筐体が閉じられてから計時手段が所定時間を計時した後に、操作キーを再ロックすることを特徴とする。
尚、本発明の携帯端末としては、ＣＤＭＡ（Ｃｏｄｅ  Ｄｉｖｉｓｉｏｎ  Ｍｕｌｔｉｐｌｅ  Ａｃｃｅｓｓ）方式やＰＤＣ（Ｐｅｒｓｏｎａｌ  Ｄｉｇｉｔａｌ  Ｃｅｌｌｕｌａｒ）方式やＰＨＳ（Ｐｅｒｓｏｎａｌ  Ｈａｎｄｙｐｈｏｎｅ  Ｓｙｓｔｅｍ）方式などに代表されるいわゆる携帯電話機のほか、ＰＤＡ（Ｐｅｒｓｏｎａｌ  Ｄｉｇｉｔａｌ  Ａｓｓｉｓｔａｎｔｓ）と称される携帯情報端末も含むものとする。ここで、ＰＤＡの場合、通信手段を内蔵しているもののほか、外部から通信手段を接続するものであっても良い。
【０００７】
【発明の実施の形態】
以下、本発明の実施の形態を図面を用いて説明する。図１は本発明の実施の形態である携帯端末のブロック図、図２（ａ）は本発明の実施の形態である携帯端末を閉じたときの側面図、図２（ｂ）はその正面図である。また、図３（ａ）は本発明の実施の形態である携帯端末を開いたときの正面図、図３（ｂ）はその背面図、図４は本発明の実施の形態である携帯端末を開いたときの側面図である。
【０００８】
（１）携帯端末の機能ブロック図（図１）
図１は本発明の実施の形態である携帯端末の全体構成を示すブロック図である。図示するように、本携帯端末はアンテナ１、無線部２、マイク１８、アンプ１９、受話スピーカ２０、アンプ２１、着信音スピーカ２２、制御部（ＣＰＵ）２３、キーロック検出部２３ａ、操作部２４、メモリ２５、表示部２６、バイブレータ２７、開閉検出部２８を具備する。
【０００９】
アンテナ１は基地局と通信するアンテナである。アンテナ１で受信された受信信号は無線部２に渡され、復調される。復調された受信信号はフレームプロセッサでフレーム単位に処理され、コーデックでデコードされアンプ１９を介し受話スピーカ２０から音声として出力される。
マイク１８から入力された音声信号はコーデックでコード化されフレームプロセッサでフレーム単位に処理され、無線部２で変調される。変調された送信信号はアンテナ１を介して基地局に送信される。
【００１０】
制御部（ＣＰＵ）２３は無線部２の制御及び操作部２４からの信号により端末全体を制御する。着信音はアンプ２１を介し着信音スピーカ２２から出力される。受話スピーカ２０用のアンプ１９及び、着信音スピーカ２２用のアンプ２１は共に増幅度を変えることができるアンプで、受話スピーカ２０用のアンプ１９の増幅度も操作部２４から設定することが出来る。着信音スピーカ２２用のアンプ２１の増幅度も同様である。
【００１１】
制御部（ＣＰＵ）２３には開閉検出部２８も接続されている。開閉検出部２８は本体の開閉状態を検出し、開閉状態を表す情報を制御部（ＣＰＵ）２３に送っている。さらに、制御部（ＣＰＵ）２３にはキーロック検出部２３ａが内蔵されており、内外のキーがロックされている場合は「ロックＯＮ」、ロック解除されている場合は「ロックＯＦＦ」を表す情報をメモリ２５に記憶する。
【００１２】
（２）閉状態の側面図及び正面図（図２）
図２（ａ）は本発明の実施の形態である携帯端末を閉じた状態（閉状態）を表す側面図、図２（ｂ）はその正面図である。
図２において、２０１はサイドコントローラ、２０３はサイドキー、２０５はアンテナ、２０７ａ及び２０７ｂは受話スピーカ、２０９は表示部である。本発明の実施の形態である携帯端末は、表示部側筐体２１３ａと操作部側筐体２１３ｂとからなり、表示部２０９は閉状態において露出する構成である。また、閉状態では操作部側筐体２１３ｂの操作部が表示部側筐体２１３ａによって覆われ、開く際には表示部側筐体２１３ａが操作部側筐体２１３ｂの操作部を有する面に垂直な軸（回動軸２１１）を中心に回動し、開ききった状態では操作部側筐体２１３ｂの操作部が外部に露出するようになっている。この時、表示部側筐体２１３ａは操作部側筐体２１３ｂの操作部を有する面に対して所定の角度範囲（１１０°以上，１８０°未満）で傾斜するようになっている。尚、サイドコントローラ２０１及びサイドキー２０３は常に外部に露出している。
【００１３】
サイドコントローラ２０１は上下左右に動かすことができ、さらに、押込むこともできる。具体的には、表示部２０９に表示された複数のメニュー項目、アイコン、画像ファイル等の中から所望のメニュー（アイコン、画像ファイル）を選択するときにカーソルを操作したり、又、画面のスクロール時などに上下左右に動かす。さらに、選択したメニュー（アイコン、画像ファイル）を決定するときに押込み操作を行う。図２（ｂ）は、図２（ａ）の矢印方向から見たときの正面図である。
【００１４】
（３）開状態の正面図及び背面図（図３）
図３（ａ）は、図２の回転軸２１１を中心に表示部側筐体２１３ａを回動させ、携帯端末を開状態にしたときの正面図である。図３（ｂ）はその背面図である。図３において、３０１は方向キー、ファンクションキー、発信／着信キーなどの第１操作部、３０３は文字入力を兼用したテンキーなどの第２操作部、３０５はセルフミラー（レンズカバーと兼用）、３０７はカメラ、３０９は録音用マイクである。
【００１５】
図３（ａ）の第１操作部３０１はカーソルや画面等を上下左右に動かすことができ、さらに、押下することもできる。具体的には、表示部２０９に表示された複数のメニュー項目、アイコン、画像ファイル等の中から所望のメニュー（アイコン、画像ファイル）を選択するときに上下左右に動かす。さらに、選択したメニュー（アイコン、画像ファイル）を決定するときに押下する。
【００１６】
第２操作部３０３は相手先の電話番号を入力したり、メールの本文、宛先、タイトル等の文字や数字などを入力するときに使用する。セルフミラー３０５はカメラで自分自身を撮影する際の鏡として使用する。録音用マイク３０９は動画像の記録時における音を取り込み、取得した音声データは制御部（ＣＰＵ）２３によってメモリ２５に画像とともに記憶される。その後、キー操作部３０３等から再生を指示する信号が送られてきたときに、再び制御部（ＣＰＵ）２３がメモリ２５から当該画像及び音声データを読み出して、受話スピーカ２０７ａ又は２０７ｂから出力する。
【００１７】
本発明の実施の形態である携帯端末は、２つのスピーカ２０７ａ及び２０７ｂを有しており、表示部２０９を挟んで上下に配置され、各スピーカの集音孔が表示部２０９を有する面に開口している。さらに、操作部側筐体２１３ｂ内には１つのマイク３１１を有し、操作部３０１〜３０３を有する面の端部に開口している。
このように、本発明の実施の形態である携帯端末は、表示部側筐体２１３ａの上下にそれぞれスピーカ２０７ａ，２０７ｂを備えているため、開状態は勿論のこと、閉状態でも通話を行うことができる。
なお、開状態で通話を行う場合、マイク３１１より離れている方（図４の連結部４０１より遠い方）のスピーカ２０７ｂを動作させ、マイク３１１に近い方（図４の連結部４０１に近い方）のスピーカ２０７ａを不動作とする。
また、閉状態で通話を行う場合、スピーカ２０７ａを動作させ、スピーカ２０７ｂを不動作とする。
【００１８】
（４）開状態の側面図（図４）
図４（ａ）（ｂ）は本発明の実施の形態である携帯端末を開いた状態（開状態）を表す側面図である。４０１は表示部側筐体２１３ａと操作部側筐体２１３ｂとの結合部であり、表示部側筐体２１３ａは操作部側筐体２１３ｂの操作部を有する面に対して所定の角度範囲θ（１１０°以上，１８０°未満）で傾斜している。尚、２つの筐体の回動動作に伴って、両筐体は傾斜する。
【００１９】
（５）本発明の第１の実施の形態（図５及び図６）
本発明の第１の実施の形態である携帯端末は、開閉可能な携帯端末であり、閉状態で内外のキーをロックした後、開状態にするとキーロック解除することができる。さらに、開状態から閉状態にすると、内外のキーを再ロックすることができる。
上記動作を実現するために、本発明の実施の形態である携帯端末では、表示部側筐体２１３ａと操作部側筐体２１３ｂとを連結する連結部４０１に開閉検出部２８を配置する。
【００２０】
図５及び図６を参照しながら、本発明の実施の形態について説明する。なお、本実施の形態では閉状態時にキーロックされている場合をフラグ（ＦＬＡＧ）＝１、閉状態時にキーロックされていない場合をフラグ（ＦＬＡＧ）＝０、とする。
Ｓ５０１では、フラグ値を初期化する。この状態ではＦＬＡＧ＝０、すなわちキーロックされていない状態（ここでは、ノーマルモードという）にする。
次に、Ｓ５０３において、表示部側筐体２１３ａと操作部側筐体２１３ｂとが開かれた状態（端末本体が開状態）であることを開閉検出部２８が検出すると、処理Ａ（図６）に進む。処理Ａについては後述する。
【００２１】
一方、開状態を開閉検出部２８が検出していない場合には、キー入力がされたか否か確認し（Ｓ５０５）、キー入力がされた場合にはサイドキー２０３が長押しされたか否か確認する（Ｓ５０７）。
Ｓ５０７において、長押しが確認された場合にはＦＬＡＧ＝０であるか否か確認する（Ｓ５０９）。その結果、ＦＬＡＧ＝０である場合には、内外のキーをロックしたのち（Ｓ５１１）、ＦＬＡＧ＝１にセットする（Ｓ５１３）。これにより、本端末はキーロック状態（ここでは、キーロックモードという）になる。
【００２２】
一方、Ｓ５０９の結果、ＦＬＡＧ＝１である場合には、内外のキーロックを解除したのち（Ｓ５１５）、ＦＬＡＧ＝０にセットする（Ｓ５１７）。これにより、本端末はノーマルモードになる。
Ｓ５０７において、長押しが確認されなかった場合にはＦＬＡＧ＝０であるか否かを確認する（Ｓ５１９）。その結果、ＦＬＡＧ＝０（ノーマルモード）である場合には、キー操作に応じた処理を行う（Ｓ５２１）。又、Ｓ５１９の結果、ＦＬＡＧ＝１（キーロックモード）である場合には、キー操作を無効にする（Ｓ５２３）。
所定の処理（Ｓ５１３、Ｓ５１７、Ｓ５２１、Ｓ５２３）が終了したら、前の判断処理（Ｓ５０３）に戻る。
【００２３】
次に、図６を参照しながら処理Ａについて説明する。
まず最初にＳ６０１において、ＦＬＡＧ＝１であるか否か確認する（Ｓ６０１）。その結果、ＦＬＡＧ＝１である場合には、内外のキーロックを解除する（Ｓ６０３）。続いて、端末本体が閉状態にされたことを開閉検出部２８が検出すると（Ｓ６０５）、ＦＬＡＧ＝１であるか否かを確認する（Ｓ６１９）。Ｓ６１９の結果、ＦＬＡＧ＝１であることが確認された場合には内外のキーをロックした後（Ｓ６２１）、処理Ｂに進む。すなわち、図５の処理（Ｓ５０３）に戻る。Ｓ６１９の結果、ＦＬＡＧ＝１であることが確認されなかった場合には、そのまま処理Ｂに進む。
【００２４】
一方、Ｓ６０５において、閉状態を開閉検出部２８が検出していない場合には、キー入力がされたか否かを確認する（Ｓ６０７）。その結果、キー入力がされた場合にはサイドキー２０３が長押しされたか否か確認する（Ｓ６０９）。尚、Ｓ６０７の結果、キー入力がされなかった場合は前処理（Ｓ６０５）に戻る。
Ｓ６０９においてサイドキー２０３が長押しされた場合には、ＦＬＡＧ＝１であるか否かを確認し（Ｓ６１１）、ＦＬＡＧ＝１であればＦＬＡＧ＝０にセットする（Ｓ６１７）。一方、Ｓ６１１の結果、ＦＬＡＧ＝１でなければＦＬＡＧ＝１にセットする（Ｓ６１５）。
Ｓ６０９においてサイドキー２０３が長押しされなかった場合には、キー操作に応じた処理を行う（Ｓ６１３）。
フラグ値のセット（Ｓ６１５，Ｓ６１７）又はキー操作に応じた処理（Ｓ６１３）が終了したら、前の判断処理（Ｓ６０５）に戻る。
【００２５】
（６）本発明の第２の実施の形態（図７及び図８）
本発明の第２の実施の形態である携帯端末は、開閉可能な携帯端末であり、両筐体が開いている時に使用している機能を、両筐体が閉じられても継続し、機能終了後にキーロック設定の有無を確認し、設定されていた場合には操作キーを再ロックすることができる。
上記動作を実現するために、本発明の実施の形態である携帯端末では、表示部側筐体２１３ａと操作部側筐体２１３ｂとを連結する連結部４０１に開閉検出部２８を配置する。
【００２６】
図７及び図８を参照しながら、本発明の実施の形態について説明する。
図８のＳ８０１では、開状態でメールを作成している。このときの表示部２０９の状態を図７（ａ）に示す。メール作成中に開閉状態検出部２８が閉状態を検出すると（Ｓ８０３）、閉状態でのメール作成中に移行する（Ｓ８０５）。
このあと、メール作成が終了すると（Ｓ８０７）、制御部（ＣＰＵ）２３は表示部２０９が待ち受け画面を表示しているか否かを確認する（Ｓ８０９）。待ち受け画面を図７（ｂ）に示す。待ち受け画面を表示していることが確認された場合には、キーロック検出部２３ａを起動してキーロックが設定されているか否かを確認する（Ｓ８１１）。Ｓ８０９において、待ち受け画面を表示していることが確認されなかった場合には、確認されるまで同判断（Ｓ８０９）を繰り返す。
Ｓ８１１において、キーロックの設定が確認された場合には内外のキーを再ロックして（Ｓ８１３）処理を終了する。一方、Ｓ８１１において、キーロックの設定が確認されなかった場合にはそのまま処理を終了する。
【００２７】
（７）本発明の第３の実施の形態（図９）
本発明の第３の実施の形態である携帯端末は、開閉可能な携帯端末であり、両筐体が閉じられてから所定時間を計時した後に、操作キーを再ロックすることができる。
上記動作を実現するために、本発明の実施の形態である携帯端末では、表示部側筐体２１３ａと操作部側筐体２１３ｂとを連結する連結部４０１に開閉検出部２８を配置する。図９を参照しながら、本発明の実施の形態について説明する。
【００２８】
図９のＳ９０１で、開閉状態検出部２８が閉状態を検出すると、制御部（ＣＰＵ）２３はキーロック検出部２３ａを起動して、キーロックが設定されているか否かを確認する（Ｓ９０３）。Ｓ９０３の結果、キーロックの設定が確認されなかった場合にはそのまま処理を終了する。
一方、Ｓ９０３の結果、キーロックの設定が確認された場合にはタイマーを起動し（Ｓ９０５）、タイマーが満了したか否かを確認する（Ｓ９０７）。Ｓ９０７の結果、タイマーの満了が確認された場合には、内外のキーを再ロックして（Ｓ９１１）処理を終了する。
【００２９】
一方、Ｓ９０７の結果、タイマーの満了が確認されなかった場合には、キー操作の有無を確認し（Ｓ９０９）、キー操作があった場合にはタイマーを停止して（Ｓ９１３）、キー操作に応じた処理を実行する（Ｓ９１５）。
Ｓ９０９の結果、キー操作がなかった場合には、タイマー満了の確認処理（Ｓ９０７）に戻って同処理（Ｓ９０７〜９１５）を繰り返す。
又、キー操作に応じた処理を実行した後は、Ｓ９０５に戻り、タイマーを起動して、タイマーが満了した後に再ロックをする。
【００３０】
尚、サイドキーを長押しすることでキーロックをかけるのは閉状態時に露出している操作部（サイドコントローラ２０１、サイドキー２０３）のみでも構わない。従って、露出している操作部（サイドコントローラ２０１、サイドキー２０３）のみキーロックをかけている場合は、上記実施例における再ロック時は露出している操作部（サイドコントローラ２０１、サイドキー２０３）のみキーロックされる。
以上、本発明の実施の形態を説明したが、本発明は上記説明に限定されず、その範囲を逸脱しない限り、変更及び修正が可能であることは明らかである。
【００３１】
【発明の効果】
本発明によれば、閉状態でキーロックした状態から開く操作を行うだけで操作キーが使用できるため、従来と比較して操作の手間を省くことができる。
又、再度閉じた時にはキーが再ロックされていることから、キー操作によって更めてキーロック操作を行う必要がない。
【図面の簡単な説明】
【図１】本発明の実施の形態である携帯端末の機能ブロック図。
【図２】本発明の実施の形態である携帯端末を閉じたときの図。
【図３】本発明の実施の形態である携帯端末を開いたときの図。
【図４】本発明の実施の形態である携帯端末を開いたときの側面図。
【図５】本発明の実施の形態を説明するための動作フローチャート。
【図６】本発明の実施の形態を説明するための動作フローチャート。
【図７】本発明の実施の形態を説明するための画面遷移図。
【図８】本発明の実施の形態を説明するための動作フローチャート。
【図９】本発明の実施の形態を説明するための動作フローチャート。
【符号の説明】
２３    制御部
２４    操作部
２５    メモリ
２６    表示部
２８    開閉検出部
【図１】
2004180080.tif 000003
【図２】
2004180080.tif 000004
【図３】
2004180080.tif 000005
【図４】
2004180080.tif 000006
【図５】
2004180080.tif 000007
【図６】
2004180080.tif 000008
【図７】
2004180080.tif 000009
【図８】
2004180080.tif 000010
【図９】
2004180080.tif 000011